(57)【要約】【課題】記録密度を安定すると共にソレノイドの大型化を防止する。【解決手段】磁気記録媒体２に摺接可能な磁気ヘッド３を磁気記録媒体２に接触または離間する方向に移動可能かつ磁気記録媒体２の媒体２面に対して回動可能に磁気ヘッド支持部材に支持して成る磁気ヘッド保持機構１において、磁気ヘッド保持機構１は磁気ヘッド３の近傍で磁気記録媒体２の搬送と共に回転するローラ５と、このローラ５を支持する平行リンク部６とを備え、磁気ヘッド３を磁気記録媒体２に接触または離間する方向に移動する際に、ローラ５が磁気記録媒体２に対して平行に移動しながら追従する。【選択図】　　　　図１
2004039174.tif 000002
【特許請求の範囲】
【請求項１】
磁気記録媒体に摺接可能な磁気ヘッドを前記磁気記録媒体に接触または離間する方向に移動可能かつ前記磁気記録媒体の媒体面に対して回動可能に磁気ヘッド支持部材に支持して成る磁気ヘッド保持機構において、前記磁気ヘッド保持機構は前記磁気ヘッドの近傍で前記磁気記録媒体の搬送と共に回転するローラと、このローラを支持する平行リンク部とを備え、前記磁気ヘッドを前記磁気記録媒体に接触または離間する方向に移動する際に、前記ローラが前記磁気記録媒体に対して平行に移動しながら追従することを特徴とする磁気ヘッド保持機構。
【請求項２】
磁気記録媒体に摺接可能な磁気ヘッドを前記磁気記録媒体に接触または離間する方向に移動可能かつ前記磁気記録媒体の媒体面に対して回動可能に磁気ヘッド支持部材に支持して成る磁気ヘッド保持機構において、前記磁気ヘッドを前記磁気記録媒体側に押圧する方向に付勢するばね部材を備えると共に、前記磁気ヘッド及び前記ばね部材両者を前記磁気記録媒体に接触または離間する方向に移動するようにしたことを特徴とする磁気ヘッド保持機構。
【請求項３】
前記磁気ヘッド保持機構は、前記磁気ヘッドの近傍で前記磁気記録媒体の搬送と共に回転するローラと、前記ローラを前記磁気記録媒体側に押圧する方向に付勢するローラ用ばね部材とを備えると共に、前記ローラ及び前記ローラ用ばね部材両者を前記磁気記録媒体に接触または離間する方向に移動するようにしたことを特徴とする請求項２記載の磁気ヘッド保持機構。
【発明の詳細な説明】
【０００１】
【発明の属する技術分野】
本発明は、磁気ヘッドを保持する磁気ヘッド保持機構に関する。さらに詳述すると、本発明は、磁気ヘッドあるいは該磁気ヘッドの近傍に配置されたローラを磁気記録媒体に安定して当接させる機構に関する。
【０００２】
【従来の技術】
通帳に貼付された磁気ストライプのリードライト装置では、該磁気ストライプにリードライトを行う磁気ヘッドと、磁気ヘッドを通過する通帳により回転されるローラと、該ローラの回転数を検出して通帳の速度を算出する速度算出部とを備えたものがある。そして、算出された速度に基づいて磁気情報書き込みの速度を調整して、書き込み間隔を一定にするようにしている。
【０００３】
この装置の場合、磁気ヘッドおよびローラは通帳を搬送する前と後に搬送路から退避する必要が有る。また、通帳は１ページ目を開いた場合と最終ページを開いた場合とで厚さが異なるが、このように通帳の厚さが異なっても磁気ヘッドおよびローラは通帳に追従する必要がある。
【０００４】
そこで、これら磁気ヘッドおよびローラを支持アームにより支持すると共に、この支持アームを１ヶ所の回転軸を中心に回転可能に支持して、この回転により磁気ヘッドおよびローラが搬送路から退避あるいは通帳に追従するようにしたものがある。また、ローラを通帳に水平に当接させるためにローラに首振り機構を設けたものもある。
【０００５】
さらに、磁気ヘッドやローラに対向するパットローラを設けると共に、パットローラにより通帳を磁気ヘッドやローラに押圧してパット圧を与えることがある。このとき、磁気ヘッドやローラをソレノイドの利用により上下動させることがある。この場合、ソレノイドにより上下動する力としてはパット圧を超える大きさが必要になる。
【０００６】
【発明が解決しようとする課題】
しかしながら、上述した磁気ヘッドおよびローラを支持アームにより支持した構造では、磁気ヘッドおよびローラが上下動するときに支持アームの回転中心を中心にして傾いてしまうので、通帳の厚さが変わると磁気ヘッドおよびローラの磁気ストライプへの当たり角度が変わってしまう。このため、場合によっては磁気ヘッドおよびローラの片当たりが発生してしまい、通帳の速度が正確に検出できずに記録密度が安定しないことがある。
【０００７】
また、ローラに首振り機構を設けた場合は、ローラ部に直結または連結しているエンコーダのタイミング板やセンサ組等の重みおよび慣性のために磁気ストライプへの速やかな追従が困難である。
【０００８】
さらに、パットローラに対向した磁気ヘッドやローラをソレノイドの利用により上下動させるときはパット圧を超える強さでソレノイドを駆動しなければならないので、強力な大型のソレノイドを必要としてしまう。
【０００９】
そこで、本発明は、記録密度が安定すると共にソレノイドの大型化を防止できる磁気ヘッド保持機構を提供することを目的とする。
【００１０】
【課題を解決するための手段】
かかる目的を達成するため、請求項１記載の発明は、磁気記録媒体に摺接可能な磁気ヘッドを磁気記録媒体に接触または離間する方向に移動可能かつ磁気記録媒体の媒体面に対して回動可能に磁気ヘッド支持部材に支持して成る磁気ヘッド保持機構において、磁気ヘッド保持機構は磁気ヘッドの近傍で磁気記録媒体の搬送と共に回転するローラと、このローラを支持する平行リンク部とを備え、磁気ヘッドを磁気記録媒体に接触または離間する方向に移動する際に、ローラが磁気記録媒体に対して平行に移動しながら追従するようにしている。
【００１１】
したがって、ローラは平行リンクにより支持されているので、磁気記録媒体に対して平行に移動することができる。このため、磁気記録媒体の厚さが変わったときでもローラは速やかに追従することができ、ローラの磁気記録媒体への片当たりを防止できる。よって、ローラによる磁気記録媒体の移動速度の検出を高精度に行うことができるので、磁気記録媒体への記録密度を適切に制御することができる。
【００１２】
また、請求項２記載の発明は、磁気記録媒体に摺接可能な磁気ヘッドを磁気記録媒体に接触または離間する方向に移動可能かつ磁気記録媒体の媒体面に対して回動可能に磁気ヘッド支持部材に支持して成る磁気ヘッド保持機構において、磁気ヘッドを磁気記録媒体側に押圧する方向に付勢するばね部材を備えると共に、磁気ヘッド及びばね部材両者を磁気記録媒体に接触または離間する方向に移動するようにしている。
【００１３】
したがって、磁気ヘッドに初圧を作用させた状態で磁気記録媒体に接触または離間する方向に移動させるので、パット圧の影響を受けることなく移動させることができる。このため、磁気ヘッドを移動させるソレノイドの大型化を防いで装置の小型化を図ることができる。
【００１４】
さらに、請求項３記載の発明は、請求項２記載の磁気ヘッド保持機構において、磁気ヘッド保持機構は、磁気ヘッドの近傍で磁気記録媒体の搬送と共に回転するローラと、ローラを磁気記録媒体側に押圧する方向に付勢するローラ用ばね部材とを備えると共に、ローラ及びローラ用ばね部材両者を磁気記録媒体に接触または離間する方向に移動するようにしている。
【００１５】
したがって、磁気ヘッドだけでなくローラにも初圧を作用させた状態で磁気記録媒体に接触または離間する方向に移動させるので、パット圧の影響を受けることなく動作させることができる。このため、磁気ヘッドおよびローラを移動させるソレノイドの大型化を防いで装置の小型化を図ることができる。
【００１６】
【発明の実施の形態】
以下、本発明の構成を図面に示す実施形態に基づいて詳細に説明する。
【００１７】
図１から図３に本発明の磁気ヘッド保持機構１の実施の一形態を示す。この磁気ヘッド保持機構１は、磁気記録媒体２に摺接可能な磁気ヘッド３を磁気記録媒体２に接触または離間する方向に移動可能で、尚かつ磁気記録媒体２の媒体面２ａに対して回動可能に磁気ヘッド支持部材４に支持して成るものである。そして、この磁気ヘッド保持機構１は、磁気ヘッド３の近傍で磁気記録媒体２の搬送と共に回転するローラ５と、このローラ５を支持する平行リンク部６とを備えている。さらに、磁気ヘッド３を磁気記録媒体２に接触または離間する方向に移動する際に、ローラ５が磁気記録媒体２に対して平行に移動しながら追従するようにしている。このため、ローラ５は平行リンクにより支持されているので、磁気記録媒体２に対して平行に移動することができる。これにより、磁気記録媒体２の厚さが変わったときでもローラ５は速やかに追従することができ、ローラ５の磁気記録媒体２への片当たりを防止できる。よって、ローラ５による磁気記録媒体２の移動速度の検出を高精度に行うことができるので、磁気記録媒体２に記録する際の記録密度を適切に制御することができる。
【００１８】
また、この磁気ヘッド保持機構１では、磁気ヘッド３を磁気記録媒体２側に押圧する方向に付勢するばね部材７を備えると共に、磁気ヘッド３及びばね部材７の両者を磁気記録媒体２に接触または離間する方向に移動するようにしている。このため、磁気ヘッド３に初圧を作用させた状態で磁気記録媒体２に接触または離間する方向に移動させるので、パット圧の影響を受けることなく移動させることができる。これにより、磁気ヘッド３を移動させるソレノイド８の大型化を防いで、リードライト装置の小型化を図ることができる。
【００１９】
さらに、磁気ヘッド保持機構１は、磁気ヘッド３の近傍で磁気記録媒体２の搬送と共に回転するローラ５と、ローラ５を磁気記録媒体２側に押圧する方向に付勢するローラ用ばね部材９とを備えている。そして、ローラ５及びローラ用ばね部材９の両者を磁気記録媒体２に接触または離間する方向に移動するようにしている。このため、磁気ヘッド３だけでなくローラ５にも初圧を作用させた状態で磁気記録媒体２に接触または離間する方向に移動させるので、パット圧の影響を受けることなく動作させることができる。これにより、磁気ヘッド３およびローラ５を移動させるソレノイド８の大型化を防いでリードライト装置の小型化を図ることができる。
【００２０】
磁気記録媒体２としては、ここでは磁気ストライプの貼付された通帳を使用している。ローラ５はエンコーダ１０に連結されている。このため、磁気記録媒体２が搬送されるのに伴ってローラ５が回転して、この回転の角度がエンコーダ１０により検出される。この検出角度に基づいて磁気記録媒体２の搬送速度が算出される。
【００２１】
平行リンク部６は、リードライト装置に対して固定された基板１１と、該基板１１に回転可能に連結された同じ長さの２本のリンク板１２と、各リンク板１２が平行になるように結んで回転可能に連結された移動リンク１３とを備えている。このため、移動リンク１３が平行に移動する。この移動リンク１３には、ローラ５およびエンコーダ１０が取り付けられている。よって、ローラ５が磁気記録媒体２に対して平行に移動することができる。
【００２２】
この平行リンク部６とこれを動作させるソレノイド８との間には伝達機構１４が設けられている。伝達機構１４は、片方のリンク板１２の基板１１との回転軸１５に同軸で取り付けられた回転板１６と、そのリンク板１２と回転板１６との間でローラ５を磁気記録媒体２側に押圧する方向に付勢するローラ用ばね部材９と、基板１１に対して平行移動可能に支持されると共にソレノイド８の動作を回転板１６に伝達して回転させるレバー板１７とを備えている。レバー板１７は移動方向に沿ったガイド穴１８を有すると共に、このガイド穴１８が基板１１に取り付けられた支持ピン１９に嵌合されている。ローラ用ばね部材９としては、ねじりコイルばねを使用している。
【００２３】
このため、ソレノイド８が作動するとレバー板１７を介して回転板１６を回転させる。回転板１６はローラ用ばね部材９を介して平行リンク部６を作動させる。これによりローラ５及びローラ用ばね部材９の両者が磁気記録媒体２に接触または離間する方向に移動することになるので、ローラ５に初圧を作用させた状態で磁気記録媒体２に接触または離間する方向に移動させてパット圧の影響を受けることなく動作させることができる。
【００２４】
一方、磁気ヘッド３は、基板１１に取り付けられたガイド部材２０により磁気記録媒体２に接触または離間する方向に移動可能に設けられている。磁気ヘッド３に一体化された案内ピン２１とガイド部材２０とは若干の隙間Ｇを有するように設けられている。これにより、磁気ヘッド３が首振り可能とされている。
【００２５】
磁気ヘッド支持部材４は、基板１１に回転可能に支持された第１リンク２２と、該第１リンク２２に回動可能に支持されると共に磁気ヘッド３が取り付けられた第２リンク２３とを備えている。これにより、第１リンク２２を回転することにより、第２リンク２３を介して磁気ヘッド３を磁気記録媒体２に接触または離間する方向に移動することができる。また、磁気ヘッド３は第１リンク２２と第２リンク２３との回転軸２４を中心に首振り可能になるので、磁気記録媒体２に追従することができる。
【００２６】
磁気ヘッド支持部材４とソレノイド８との間には伝達機構２５が設けられている。この伝達機構２５は、第１リンク２２の基板１１との回転軸２６に同軸で取り付けられた回転板２７と、第１リンク２２と回転板２７との間で磁気ヘッド３を磁気記録媒体２側に押圧する方向に付勢するばね部材７と、基板１１に対して平行移動可能に支持されると共にソレノイド８の動作を回転板２７に伝達して回転させるレバー板１７とを備えている。このうち、レバー板１７は上述した平行リンク部６を作動させる伝達機構１４のレバー板１７と兼用している。また、ばね部材７としては、ねじりコイルばねを使用している。
【００２７】
ソレノイド８が作動するとレバー板１７を介して回転板２７を回転させる。回転板２７はばね部材７を介して第１リンク２２を作動させる。これにより磁気ヘッド３が磁気記録媒体２に接触または離間する方向に移動することになるので、磁気ヘッド３に初圧を作用させた状態で磁気記録媒体２に接触または離間する方向に移動させてパット圧の影響を受けることなく動作させることができる。
【００２８】
上述した磁気ヘッド保持機構１の動作の一例を以下に説明する。
【００２９】
磁気記録媒体２が搬送される前はソレノイド８を作動させず、プランジャ２８が引き出しばね２９により引き出された状態にされている。このとき、ローラ５および磁気ヘッド３は搬送路から退避されている。
【００３０】
磁気記録媒体２が搬送されて磁気ヘッド３に達する直前あるいは達したときにソレノイド８を作動させる。これにより、ソレノイド８の駆動力が伝達機構１４，２５を介してローラ５および磁気ヘッド３に伝達される。そして、磁気ヘッド３およびローラ５が搬送路に突出されて、パットローラとの間で磁気記録媒体２を挟み付ける。磁気ヘッド３へのパット圧はばね部材７により吸収されると共に、ローラ５へのパット圧はローラ用ばね部材９により吸収される。そして磁気記録媒体２を搬送しながら磁気データの読み書きが行われる。このとき、ローラ５により磁気記録媒体２の搬送速度が検出される。この搬送速度に対応して磁気データの書き込み速度を調節して、書き込み間隔を一定にする。
【００３１】
磁気記録媒体２の厚さが変わったときは、磁気ヘッド３は第２リンク２３が第１リンク２２に対して回転することにより首振りを行って磁気記録媒体２に追従することができ、またローラ５は平行リンク部６が作動して磁気記録媒体２に追従することができる。この場合に、磁気記録媒体２の厚さによらずソレノイド８は磁気ヘッド３およびローラ５に初圧を作用させた状態で移動させることができる。よって、パット圧の大小の影響を受けることなく移動させることができるので、強い力を持つソレノイド８の大型化を防止してリードライト装置の小型化を図ることができる。
【００３２】
さらに、ソレノイド８をオフすることによって、プランジャ２８が引き出しばね２９により引き出される。これにより、ローラ５および磁気ヘッド３は搬送路から退避される。
【００３３】
なお、上述の実施形態は本発明の好適な実施の一例ではあるがこれに限定されるものではなく、本発明の要旨を逸脱しない範囲において種々変形実施可能である。例えば本実施形態ではローラ用ばね部材９およびばね部材７としてねじりコイルばねを使用しているが、これには限られず圧縮コイルばねや引張コイルばねを使用するようにしても良い。
【００３４】
また、本実施形態ではローラ５をローラ用ばね部材９を介して搬送路に出没させるようにしているが、これには限られずローラ用ばね部材９を使用せずに平行リンク部６のみで移動するようにしても良い。この場合もローラ５は平行に移動するので、磁気記録媒体２の厚さによらず追従することができる。
【００３５】
さらに、上述した実施形態では磁気記録媒体２は通帳の磁気ストライプとしているが、これには限られず例えばカードの磁気ストライプとしても良い。
【００３６】
また、上述した実施形態ではローラ５は磁気記録媒体２の速度検出用に使用しているが、これには限られず磁気記録媒体２を搬送するための駆動ローラとしても良い。あるいは、ローラ５や磁気ヘッド３にも限られず、厚さが変化する対象物に平行に当接させる必要があるもの、あるいはパット圧を与える必要があるもの、例えば印字ヘッド３やセンサなどの全般に適用することができる。
【００３７】
【発明の効果】
以上の説明から明らかなように、請求項１記載の磁気ヘッド保持機構によれば、ローラは平行リンクにより支持されているので、磁気記録媒体に対して平行に移動することができる。このため、磁気記録媒体の厚さが変わったときでもローラは速やかに追従することができ、ローラの磁気記録媒体への片当たりを防止できる。よって、ローラによる磁気記録媒体の移動速度の検出を高精度に行うことができるので、磁気記録媒体への記録密度を適切に制御することができる。
【００３８】
また、請求項２記載の磁気ヘッド保持機構によれば、磁気ヘッドに初圧を作用させた状態で磁気記録媒体に接触または離間する方向に移動させるので、パット圧の影響を受けることなく移動させることができる。このため、磁気ヘッドを移動させるソレノイドの大型化を防いで装置の小型化を図ることができる。
【００３９】
さらに、請求項３記載の磁気ヘッド保持機構によれば、磁気ヘッドだけでなくローラにも初圧を作用させた状態で磁気記録媒体に接触または離間する方向に移動させるので、パット圧の影響を受けることなく動作させることができる。このため、磁気ヘッドおよびローラを移動させるソレノイドの大型化を防いで装置の小型化を図ることができる。
【図面の簡単な説明】
【図１】本発明の磁気ヘッド保持機構を示す概略の側面図である。
【図２】ローラおよび平行リンク部を示す平面図である。
【図３】磁気ヘッドおよび磁気ヘッド支持部材を示す平面図である。
【符号の説明】
１　磁気ヘッド保持機構
２　磁気記録媒体
２ａ　媒体面
３　磁気ヘッド
４　磁気ヘッド支持部材
５　ローラ
６　平行リンク部
７　ばね部材
９　ローラ用ばね部材
【図１】
2004039174.tif 000003
【図２】
2004039174.tif 000004
【図３】
2004039174.tif 000005